(57)【要約】  【課題】  創傷内部から滲出液を排出する機能を向上することのできるドレナージを提供する。  【解決手段】  ドレナージ１は、創傷（例えば動物による咬傷等）を治療するための機器であり、創傷から生じる滲出液を排出するために、創傷に挿入される。ドレナージ１は、複数本の金属製ワイヤー４をよりあわせた金属製ワイヤーロープ５により構成されている。【選択図】  図１
2016214779.tif 000002
【特許請求の範囲】
【請求項１】
創傷から生じる滲出液を排出するために、前記創傷に挿入されるドレナージであって、
前記ドレナージは、複数本の金属製ワイヤーをよりあわせた金属製ワイヤーロープにより構成されていることを特徴とするドレナージ。
【請求項２】
前記ドレナージの一方の端部には、円環部が形成されている、請求項１に記載のドレナージ。
【請求項３】
前記円環部の直径は、２〜１０ｍｍに設定されている、請求項２に記載のドレナージ。
【請求項４】
前記ドレナージの他方の端部には、球状部が形成されている、請求項１〜３のいずれかに記載のドレナージ。
【請求項５】
前記球状部の球径は、０．５〜２ｍｍに設定されている、請求項４に記載のドレナージ。
【請求項６】
よりあわせる前記複数の金属製ワイヤーの本数は、４〜１０本に設定されている、請求項１〜５のいずれかに記載のドレナージ。
【請求項７】
前記金属製ワイヤーの太さは、０．１〜０．１５ｍｍに設定されている、請求項１〜６のいずれかに記載のドレナージ。
【請求項８】
前記金属製ワイヤーロープの太さは、０．２〜０．４ｍｍに設定されている、請求項１〜７のいずれかに記載のドレナージ。
【発明の詳細な説明】
【技術分野】
【０００１】
本発明は、創傷を治療するためのドレナージに関し、特に、創傷から生じる滲出液を排出するために創傷に挿入されるドレナージに関する。
【背景技術】
【０００２】
従来から、創傷を治療するための様々な技術が開発されている（例えば特許文献１参照）。例えば動物による咬傷の場合、創傷内部が閉鎖腔となり滲出液（血液やリンパ液）が創傷内部に滞留すると、細菌が増殖して感染症を引き起こすおそれがある。そのため、そのような創傷（例えば動物による咬傷など）の治療においては、創傷から生じる滲出液を排出させることが重要である。
【先行技術文献】
【特許文献】
【０００３】
【特許文献１】特表２０１４−５１２９１９号公報
【発明の概要】
【発明が解決しようとする課題】
【０００４】
そこで、樹脂製（例えばナイロン製）の糸でドレナージを構成し、創傷にドレナージを挿入して、創傷から生じる滲出液を毛細管現象により体外に排出させることも考えられる。しかしながら、樹脂製の糸を単に用いただけのドレナージ（樹脂製の一本の糸で構成したドレナージ）では、毛細管現象により得られる滲出液の排出効果がそれほど高くなく、更なる改善の余地があった。
【０００５】
本発明は、上記の課題に鑑みてなされたもので、創傷内部から滲出液を排出する機能を向上することのできるドレナージを提供することを目的とする。
【課題を解決するための手段】
【０００６】
本発明のドレナージは、創傷から生じる滲出液を排出するために、創傷に挿入されるドレナージであって、ドレナージは、複数本の金属製ワイヤーをよりあわせた金属製ワイヤーロープにより構成されている。
【０００７】
このように、複数の金属製ワイヤーをよりあわせた金属製ワイヤーロープでドレナージが構成されるので、創傷内部から滲出液を排出するのに適切な毛細管現象を生じさせることができる。また、複数の金属製ワイヤーをよりあわせた金属製ワイヤーロープでドレナージを構成しているので、一本の金属製ワイヤーでドレナージを構成する場合に比べて、ドレナージの強度が増加して切れにくくなる。さらに、ドレナージが金属製であるため、ナイロン製の場合に比べて、ドレナージの細線化が容易であり、傷口にドレナージを挿入するときの痛みを少なくできる。また、ドレナージが金属製であるため、ナイロン製の場合に比べて、一度使用したドレナージを加熱消毒して再利用することが容易である。また更に、ドレナージが金属製であるので、体内に挿入されたドレナージをレントゲンで確認することができる。また、ドレナージが金属製であるので、ナイロン製の場合に比べて、ドレナージを屈曲させた状態での形状保持が容易である。したがって、ドレナージを傷口から挿入した場合に体外に出ている部分（傷口から出ている部分）を上向きになるように形付けすることができ、重力によるドレナージの抜け落ちを防止することが容易である。さらに、ドレナージが金属製であるので、ドレナージに適度な強度（コシ）があり、ナイロン製の場合に比べて、ドレナージを傷口から挿入しやすい。したがって、医療関係者だけでなく、例えば患者本人でもドレナージを傷口から容易に挿入することができる。
【０００８】
また、本発明のドレナージでは、ドレナージの一方の端部には、円環部が形成されてもよい。
【０００９】
この構成により、傷口が大きい場合に、ドレナージの一方の端部に形成された円環部を傷口に挿入し、創傷内部から滲出液を排出することができる。円環部は、初期形状はほぼ円環（円形）形状であるが、傷口の形状に即して柔軟に形状を変えることができる。例えば、円環部は、傷口の形状に応じて、楕円形に変形させることができる。
【００１０】
また、本発明のドレナージでは、円環部の直径は、２〜１０ｍｍに設定されてもよい。
【００１１】
この構成により、傷口の大きさが２〜１０ｍｍの場合に、ドレナージの一方の端部に形成された円環部を傷口に挿入し、創傷内部から滲出液を排出することができる。
【００１２】
また、本発明のドレナージでは、ドレナージの他方の端部には、球状部が形成されてもよい。
【００１３】
この構成により、傷口が小さい場合に、ドレナージの他方の端部に形成された球状部を傷口に挿入し、創傷内部から滲出液を排出することができる。
【００１４】
また、本発明のドレナージでは、球状部の球径は、０．５〜２ｍｍに設定されてもよい。
【００１５】
この構成により、傷口の大きさが０．５〜２ｍｍの場合に、ドレナージの他方の端部に形成された球状部を傷口に挿入し、創傷内部から滲出液を排出することができる。
【００１６】
また、本発明のドレナージでは、よりあわせる前記複数の金属製ワイヤーの本数は、４〜１０本に設定されてもよい。
【００１７】
このように、よりあわせる金属製ワイヤーの本数を４〜１０本に設定することによって、創傷内部から滲出液を排出するのに適切な毛細管現象を生じさせることができる。
【００１８】
また、本発明のドレナージでは、金属製ワイヤーの太さは、０．１〜０．１５ｍｍに設定されてもよい。
【００１９】
このように、金属製ワイヤーの太さを０．１〜０．１５ｍｍに設定することによって、傷口にドレナージを挿入するときの痛みを少なくできる。
【００２０】
また、本発明のドレナージでは、金属製ワイヤーロープの太さは、０．２〜０．４ｍｍに設定されてもよい。
【００２１】
このように、金属製ワイヤーロープの太さを０．２〜０．４ｍｍに設定することによって、傷口にドレナージを挿入するときの痛みを少なくできる。
【発明の効果】
【００２２】
本発明によれば、創傷内部から滲出液を排出する機能が向上する。
【図面の簡単な説明】
【００２３】
【図１】本発明の実施の形態におけるドレナージを示す図である。
【図２】複数本の金属製ワイヤーをよりあわせた金属製ワイヤーロープの説明図である。
【図３】ドレナージの円環部と球状部の説明図である。
【図４】ドレナージの円環部の使用例を示す図である。
【図５】ドレナージの球状部の使用例を示す図である。
【発明を実施するための形態】
【００２４】
以下、本発明の実施の形態のドレナージについて、図面を用いて説明する。本実施の形態では、創傷（例えば動物による咬傷等）の治療に用いられるドレナージの場合を例示する。
【００２５】
まず、本発明の実施の形態のドレナージの構成を、図面を参照して説明する。図１〜図３は、本実施の形態のドレナージの構成を示す図である。図１に示すように、ドレナージ１は、全体として細線のような形状をしている。ドレナージ１の一方の端部（図１における左側の端部）には、ループ状の円環部２が形成されており、また、ドレナージ１の他方の端部（図１における右側の端部）には、小球状の球状部３が形成されている。円環部２の直径および球状部３の球径は、ドレナージ１が挿入される創傷の大きさに応じて設定される。この場合、円環部２の直径ｄ１は２〜１０ｍｍ（例えば５ｍｍ）に設定されており、球状部３の球径ｄ２は０．５〜２ｍｍ（例えば１ｍｍ）に設定されている（図３参照）。
【００２６】
図２に示すように、ドレナージ１は、複数本の金属製ワイヤー４をよりあわせた金属製ワイヤーロープ５により構成されている。例えば、一本のワイヤーロープ５を中央部で折り曲げて、その折り曲げた部分（一方の端部）に円環部２を形成し、形成した円環部２の根元部からワイヤーロープ５をよりあわせてドレナージ１の本体部を形成し、もう一方の端部（折り曲げる前のワイヤーロープ５の両端部）を揃えて熱処理を加えることにより球状部３を形成する。なお、この場合、よりあわせる金属製ワイヤー４の本数は、４〜１０本（例えば７本）に設定されている。また、金属製ワイヤー４の太さｔ１は０．１〜０．１５ｍｍ（例えば０．１２ｍｍ）に設定されており、金属製ワイヤーロープ５の太さｔ２は０．２〜０．４ｍｍ（例えば０．３６ｍｍ）に設定されている。また、ドレナージ１の本体部の太さは０．４〜０．８ｍｍ（例えば０．７２ｍｍ）に設定されている。
【００２７】
つぎに、以上のように構成されたドレナージ１について、図面を参照してその動作を説明する。図４および図５に示すように、ドレナージ１は、創傷から生じる滲出液を排出するために、創傷に挿入される。図４に示すように、傷口Ｗが大きい場合（例えば、傷口Ｗの大きさが２〜１０ｍｍの場合）には、ドレナージ１の一方の端部に形成された円環部２が傷口Ｗに挿入される。また、図５に示すように、傷口Ｗが小さい場合（例えば、傷口Ｗの大きさが０．５〜２ｍｍの場合）には、ドレナージ１の他方の端部に形成された球状部３が傷口Ｗに挿入される。このようにしてドレナージ１を傷口Ｗに挿入することにより、創傷から生じる滲出液を毛細管現象により体外に排出させることができる。
【００２８】
このような本実施の形態のドレナージ１によれば、創傷内部から滲出液を排出する機能を向上させることができる。
【００２９】
すなわち、本実施の形態では、複数の金属製ワイヤー４をよりあわせた金属製ワイヤーロープ５でドレナージ１が構成されるので、創傷内部から滲出液を排出するのに適切な毛細管現象を生じさせることができる。また、複数の金属製ワイヤー４をよりあわせた金属製ワイヤーロープ５でドレナージ１を構成しているので、一本の金属製ワイヤーでドレナージを構成する場合に比べて、ドレナージ１の強度が増加して切れにくくなる。さらに、ドレナージ１が金属製であるため、ナイロン製の場合に比べて、ドレナージ１の細線化が容易であり、傷口にドレナージ１を挿入するときの痛みを少なくできる。また、ドレナージ１が金属製であるため、ナイロン製の場合に比べて、一度使用したドレナージ１を加熱消毒して再利用することが容易である。また更に、ドレナージ１が金属製であるので、体内に挿入されたドレナージ１をレントゲンで確認することができる。また、ドレナージ１が金属製であるので、ナイロン製の場合に比べて、ドレナージ１を屈曲させた状態での形状保持が容易である。したがって、ドレナージ１を傷口から挿入した場合に体外に出ている部分（傷口から出ている部分）を上向きになるように形付けすることができ、重力によるドレナージ１の抜け落ちを防止することが容易である。さらに、ドレナージ１が金属製であるので、ドレナージ１に適度な強度（コシ）があり、ナイロン製の場合に比べて、ドレナージ１を傷口から挿入しやすい。したがって、医療関係者だけでなく、例えば患者本人でもドレナージ１を傷口から容易に挿入することができる。
【００３０】
本実施の形態では、傷口Ｗが大きい場合（例えば、傷口の大きさが２〜１０ｍｍの場合）に、ドレナージ１の一方の端部に形成された円環部２を傷口に挿入し、創傷内部から滲出液を排出することができる。円環部２は、初期形状はほぼ円環（円形）形状であるが、傷口の形状に即して柔軟に形状を変えることができる。例えば、円環部２は、傷口の形状に応じて、楕円形に変形させることができる。一方、傷口Ｗが小さい場合（例えば、傷口の大きさが０．５〜２ｍｍの場合）に、ドレナージ１の他方の端部に形成された球状部３を傷口に挿入し、創傷内部から滲出液を排出することができる。
【００３１】
また、本実施の形態では、よりあわせる金属製ワイヤー４の本数が７本に設定されている。よりあわせる金属製ワイヤー４の本数は４〜１０本に設定されていればよい。よりあわせる金属製ワイヤー４の本数を４〜１０本に設定することによって、創傷内部から滲出液を排出するのに適切な毛細管現象を生じさせることができる。
【００３２】
さらに、本実施の形態では、金属製ワイヤー４の太さｔ１が０．１２ｍｍに設定されている。金属製ワイヤー４の太さｔ１は０．１〜０．１５ｍｍに設定されていればよい。金属製ワイヤー４の太さｔ１を０．１〜０．１５ｍｍに設定することによって、傷口にドレナージ１を挿入するときの痛みを少なくできる。
【００３３】
また、本実施の形態では、金属製ワイヤーロープ５の太さｔ２が０．３６ｍｍに設定されている。金属製ワイヤーロープ５の太さｔ２は０．２〜０．４ｍｍに設定されていればよい。金属製ワイヤーロープ５の太さｔ２を０．２〜０．４ｍｍに設定することによって、傷口にドレナージを挿入するときの痛みを少なくできる。
【００３４】
以上、本発明の実施の形態を例示により説明したが、本発明の範囲はこれらに限定されるものではなく、請求項に記載された範囲内において目的に応じて変更・変形することが可能である。
【産業上の利用可能性】
【００３５】
以上のように、本発明にかかるドレナージは、創傷内部から滲出液を排出する機能が向上するという効果を有し、創傷（例えば動物による咬傷等）を治療するための機器として用いられ、有用である。
【符号の説明】
【００３６】
１  ドレナージ
２  円環部
３  球状部
４  金属製ワイヤー
５  金属製ワイヤーロープ
【図１】
2016214779.tif 000003
【図２】
2016214779.tif 000004
【図３】
2016214779.tif 000005
【図４】
2016214779.tif 000006
【図５】
2016214779.tif 000007